(57)【特許請求の範囲】
【請求項１】
電子商取引を処理するシステムであって、
１若しくはそれ以上のプロセッサとメモリとを有するコンピュータであって、
販売者から１若しくはそれ以上の代替支払いブランドの遠隔的選択を通信ネットワークを介して受信する工程であって、前記代替支払いブランドの各々は異なる販売者申請手続きを含むものである、前記受信する工程と、
前記販売者から前記選択された代替支払いブランドに申請するために必要な販売者情報を前記通信ネットワークを介して受信する工程と、
前記選択された代替支払いブランドの前記販売者申請手続きに従って、前記販売者情報を使用して、前記選択された代替支払いブランドの各々に前記通信ネットワークを介して自動的に申請する工程と
を実行するように構成された前記コンピュータを有し、当該コンピュータは前記販売者及び前記選択された代替支払いブランドから遠隔されているものであり、
前記プロセッサは、
前記販売者に前記選択を要求するグラフィカル・ユーザー・インターフェースを提供する工程を実行するようにプログラムされるものであり、当該グラフィカル・ユーザー・インターフェースは汎用販売者プラットフォーム（Ｕｎｉｖｅｒｓａｌ  Ｍｅｒｃｈａｎｔ  Ｐｌａｔｆｏｒｍ：ＵＭＰ）によって支援される複数の代替支払いブランドの一覧を表示するものであり、当該ＵＭＰは前記代替支払いブランドと商取引をするために統一支払いプロトコルを販売者に提供するものであり、商取引のため前記代替支払いブランドの各々は異なる支払いプロトコルを持つものである、
システム。
【請求項２】
請求項１記載のシステムにおいて、さらに、
代替支払いブランドと要求フィールドとの間のマッピングを含むメモリを含み、
前記プロセッサはさらに、前記販売者に、前記マッピングによって決定された前記選択された代替支払いブランドの要求フィールドの各々に販売者情報を入力するように要求するグラフィカル・ユーザー・インターフェースを提供する工程を実行するようにプログラムされるものであるシステム。
【請求項３】
請求項１記載のシステムにおいて、前記申請する工程は、
前記選択された代替支払いブランド各々に対する申請書を当該代替支払いブランドに通信ネットワークを介して送信する工程を含むものであるシステム。
【請求項４】
請求項１記載のシステムにおいて、前記申請する工程は、
前記選択された代替支払いブランド各々に対してサブモジュールを選択する工程であって、当該サブモジュールは対応する代替支払いブランドの申請論理を実行して、統一インターフェースを前記販売者申請手続きに提供するものである、前記選択する工程と、
前記統一インターフェースを介して前記販売者情報を前記サブモジュールに提出する工程と
を含むものであるシステム。
【請求項５】
請求項１記載のシステムにおいて、前記プロセッサは、さらに、
前記選択された代替支払いブランドの引受基準が満たされた旨の通知を受信する工程と、
前記通知に対応して、前記選択された代替支払いブランドを前記販売者のために前記ＵＭＰに自動的に登録する工程と
を実行するようにプログラムされるものであるシステム。
【請求項６】
請求項５記載のシステムにおいて、前記引受基準は１若しくはそれ以上の規則で定義されているものであるシステム。
【請求項７】
請求項１記載のシステムにおいて、前記選択された代替支払いブランドは、グーグル（ＧＯＯＧＬＥ）、ペイパル（ＰＡＹＰＡＬ）、ビル・ミー・レイター（ＢＩＬＬ  ＭＥ  ＬＡＴＥＲ）、アマゾン・ペイメンツ（ＡＭＡＺＯＮ  ＰＡＹＭＥＮＴＳ）、およびテレチェック（ＴＥＬＥＣＨＥＣＫ）のうちの少なくとも１つを含むものであるシステム。
【請求項８】
電子商取引を処理するため、少なくとも１つのプロセッサとメモリを有するコンピュータによって実行される方法であって、
販売者から１若しくはそれ以上の代替支払いブランドの遠隔的選択を通信ネットワークを介して受信する工程であって、前記１若しくはそれ以上の代替支払いブランドの各々は異なる販売者申請手続きを含むものである、前記受信する工程と、
前記販売者から前記選択された代替支払いブランドに申請するために必要な販売者情報を通信ネットワークを介して受信する工程と、
前記選択された代替支払いブランドの前記販売者申請手続きに従って、前記販売者情報を使用して、前記選択された代替支払いブランドの各々に前記通信ネットワークを介して自動的に申請する工程と、
汎用販売者プラットフォーム（Ｕｎｉｖｅｒｓａｌ  Ｍｅｒｃｈａｎｔ  Ｐｌａｔｆｏｒｍ：ＵＭＰ）口座を作るため、前記通信ネットワークを介してＵＭＰに前記販売者を登録する工程であって、当該ＵＭＰは前記代替支払いブランドと商取引をするために統一支払いプロトコルを販売者に提供するものであり、商取引のため前記代替支払いブランドの各々は異なる支払いプロトコルを持つものである、前記登録する工程と、
前記選択された代替支払いブランドの引受基準が満たされた旨の通知を受信する工程と、
前期通知に対応して、前記選択された代替支払いブランドを前記ＵＭＰ口座に登録する工程と
を有する方法。
【請求項９】
請求項８記載の方法において、さらに、
前記販売者に前記選択を要求するグラフィカル・ユーザー・インターフェースを提供する工程であって、当該グラフィカル・ユーザー・インターフェースは汎用販売者プラットフォーム（ＵＭＰ）によって支援される複数の代替支払いブランドの一覧を表示するものである、前記提供する工程を含むものである方法。
【請求項１０】
請求項８記載の方法において、さらに、
前記販売者に、前記選択された代替支払いブランドの要求フィールドの各々にデータを入力するように要求するグラフィカル・ユーザー・インターフェースを提供する工程であって、前記要求フィールドは、代替支払いブランドと要求フィールドとの間のマッピングによって決定されるものである、前記提供する工程を含むものである方法。
【請求項１１】
請求項１０記載の方法において、前記販売者情報は、前記グラフィカル・ユーザー・インターフェースから受信されるものである方法。
【請求項１２】
請求項８記載の方法において、前記申請する工程は、
前記選択された代替支払いブランドの各々に対する申請書を前記選択された代替支払いブランドに通信ネットワークを介して送信する工程を含むものである方法。
【請求項１３】
請求項８記載の方法において、前記申請する工程は、
前記選択された代替支払いブランドの各々に対してサブモジュールを選択する工程であって、当該サブモジュールは対応する代替支払いブランドの申請論理を実行して、統一インターフェースを前記販売者申請手続きに提供するものである、前記選択する工程と、
前記統一インターフェースを介して前記販売者情報を前記サブモジュールに提出する工程と
を含むものである方法。
【請求項１４】
請求項８記載の方法において、前記引受基準は１若しくはそれ以上の規則で定義されているものである方法。
【請求項１５】
請求項８記載の方法において、前記選択された代替支払いブランドは、グーグル（ＧＯＯＧＬＥ）、ペイパル（ＰＡＹＰＡＬ）、ビル・ミー・レイター（ＢＩＬＬ  ＭＥ  ＬＡＴＥＲ）、アマゾン・ペイメンツ（ＡＭＡＺＯＮ  ＰＡＹＭＥＮＴＳ）、およびテレチェック（ＴＥＬＥＣＨＥＣＫ）のうちの少なくとも１つを含むものである方法。
【請求項１６】
請求項８記載の方法を実行するようにプログラムされた１若しくはそれ以上のプロセッサ。
【請求項１７】
１若しくはそれ以上のプロセッサを請求項８記載の方法を実行するように制御するソフトウェアを備えた非過渡的コンピュータ記録媒体。
【請求項１８】
電子商取引を処理するシステムであって、
複数の異なる代替支払いブランドを含む取引を処理する単一インターフェースを販売者に提供する汎用販売者プラットフォーム（Ｕｎｉｖｅｒｓａｌ  Ｍｅｒｃｈａｎｔ  Ｐｌａｔｆｏｒｍ：ＵＭＰ）と、
１若しくはそれ以上のプロセッサであって、
販売者から１若しくはそれ以上の代替支払いブランドの選択を受信する工程であって、前記代替支払いブランドの各々は異なる販売者申請手続きを含むものである、前記受信する工程と、
前記販売者から前記選択された代替支払いブランドに申請するために必要な販売者情報を受信する工程と、
前記選択された代替支払いブランドの前記販売者申請手続きに従って、前記選択された代替支払いブランドの各々に前記販売者情報を使用して申請する工程と、
前記選択された代替支払いブランドの引受基準が満たされた旨の通知を受信する工程と、
前記選択された代替支払いブランドを前記販売者の前記ＵＭＰに登録する工程と
を実行するようにプログラムされた前記１若しくはそれ以上のプロセッサと
を有するシステム。
【発明の詳細な説明】
【技術分野】
【０００１】
本出願は、２０１０年４月7日付けで出願された米国特許仮出願番号第６１／３２１，６３０号の利益を主張するものであり、この参照によりその全体が本明細書に組み込まれるものである。
【背景技術】
【０００２】
本発明の開示は、電子決済を処理する方法および／またはシステムに関する。特に本発明の開示は、電気通信網（例えば、インターネット網および無線ネットワーク）を介して商取引を行うことを含む、商取引を行う販売者に認証サポートおよび／またはその他の支払処理の解決法を提供する方法および／またはシステムを対象とする。しかしながら、本発明で開示される対象は、他のアプリケーションおよび／または環境（例えば、モバイルコマースなど）にも同等に適用できることを理解されたい。
【０００３】
背景として、インターネット商取引（または、電子商取引（ｅコマース）として知られる）は、インターネットを通じて消費者と販売者との間で製品および／またサービスの売買、または同様の他の取引上の情報交換に関連する。モバイルコマース（またはｍコマースとして知られる）は、携帯機器（例えば、携帯電話）、携帯情報端末（Ｐｅｒｓｏｎａｌ  Ｄｉｇｉｔａｌ  Ａｓｓｉｓｔａｎｔ：ＰＤＡ）、スマートフォン、または例えばダッシュトップモバイル機器（ｄａｓｈｔｏｐ  ｍｏｂｉｌｅ  ｄｅｖｉｃｅｓ）などのその他の最新移動式機器を使用して商取引を行うことができる。
【０００４】
インターネットによる買い物の利便性および有用性により、消費者と販売者の両方の側でｅコマースおよびｍコマースに相当な興味が巻き起こった。従来の支払方法の選択肢（例えば、クレジットカードおよびデビットカードなど）が未だにｅコマースの商取引に影響力を及ぼしているが、産業界における流れは代替支払方法の選択肢（例えば、グーグル・チェックアウト（ＧＯＯＧＬＥ  ＣＨＥＣＫＯＵＴ）、ペイパル・エクスプレス・チェックアウト（ＰＡＹＰＡＬ  ＥＸＰＲＥＳＳ  ＣＨＥＣＫＯＵＴ）、ビル・ミー・レイター・エクスプレス（ＢＩＬＬ  ＭＥ  ＬＡＴＥＲ  ＥＸＰＲＥＳＳ）、およびビル・ミー・レイター・ビジネス（ＢＩＬＬ  ＭＥ  ＬＡＴＥＲ  ＢＵＳＩＮＥＳＳ）など）の方向に移行しつつある。典型的なチェックアウトの流れの例としては、購入者がショッピングカート（買い物かご）ページからチェックアウトし、買い物情報を提供し、支払い方法を選択して課金情報および支払い情報を提供し、前記注文および支払い方法を見直し、そして注文確認書を受信する。しかしながら、ペイパル・エクスプレス・チェックアウトの流れでは、購入者は前記流れの始めでチェックアウトするが、買い物、課金、および支払い情報を入力しない。これはなぜなら、ペイパルが保存した情報を提供するからである。これにより、チェックアウトの処理は単純化されて、迅速に処理される。
【０００５】
代替支払い方法は、消費者の購買能力を向上させ、販売者が種々の入札を引き受けることにより消費者と販売者の経験を充実したものにする。また、代替支払い方法はさらに、販売者および消費者を潜在的な詐欺から守り、不正入手されたあらゆる資金の速やかな回収を可能にする。しかし、代替支払い方法の１つの挑戦は、当該代替支払い方法が通常、認証を使用し、特別な統合仕様書を使用し、並びに個々の販売者の引受けを要求することである。従って、販売者が複数の申請、登録手続き、および前記代替支払い方法を個々に利用（または有効に）するのは、能力を必要としおよび／または時間のかかるものである。
【０００６】
本発明は、上記に関連するおよびその他の問題を解決する新規の改善されたシステムおよび／または方法について検討する。
【０００７】
参照による組み込み
以下に同一出願人による出願について言及するものであり、この参照により各出願の開示は完全に本明細書に組み込まれるものである。
【０００８】
米国特許第７，０５１，００２号のＫｅｒｅｓｍａｎ，ＩＩＩらの発明の名称「Ｕｎｉｖｅｒｓａｌ  Ｍｅｒｃｈａｎｔ  Ｐｌａｔｆｏｒｍ  ｆｏｒ  Ｐａｙｍｅｎｔ  Ａｕｔｈｅｎｔｉｃａｔｉｏｎ」
米国特許出願公開第２００９／０３１３１４７号のＢａｌａｓｕｂｒａｍａｎｉａｎらの発明の名称「Ａｌｔｅｒｎａｔｉｖｅ  Ｐａｙｍｅｎｔ  Ｉｍｐｌｅｍｅｎｔａｔｉｏｎ  ｆｏｒ  Ｅｌｅｃｔｒｏｎｉｃ  Ｒｅｔａｉｌｅｒｓ」
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００９／００２４４７１号明細書
（特許文献２）  米国特許第７，５０２，７６０号明細書
（特許文献３）  米国特許出願公開第２００８／０１６２３７１号明細書
（特許文献４）  米国特許出願公開第２００８／００８６４１７号明細書
（特許文献５）  米国特許第７，１７７，８３６号明細書
（特許文献６）  米国特許出願公開第２００５／００７１５１２号明細書
（特許文献７）  米国特許出願公開第２０１２／０１０１８８７号明細書
（特許文献８）  米国特許出願公開第２０１０／０３１２７０２号明細書
（特許文献９）  米国特許出願公開第２０１１／０１９１２０６号明細書
（特許文献１０）  米国特許第７，０５１，００２号明細書
（特許文献１１）  米国特許出願公開第２００９／０３１３１４７号明細書
（特許文献１２）  米国特許第７，６９３，７８３号明細書
（特許文献１３）  米国特許出願公開第２００３／０１３０９５８号明細書
（特許文献１４）  米国特許出願公開第２０１２／０１０９６７４号明細書
（特許文献１５）  米国特許出願公開第２０１０／００５７５５４号明細書
（特許文献１６）  米国特許出願公開第２００８／００７１６４０号明細書
（特許文献１７）  米国特許出願公開第２００８／００３３８８０号明細書
（特許文献１８）  米国特許第７，８０１，８２６号明細書
（特許文献１９）  米国特許第７，７１６，１２９号明細書
（特許文献２０）  米国特許第７，２５４，５５７号明細書
（特許文献２１）  米国特許第６，３３２，１３３号明細書
（特許文献２２）  米国特許第５，７４８，９０８号明細書
（非特許文献）
（非特許文献１）  Ｉｎｔｅｒｎａｔｉｏｎａｌ  Ｓｅａｒｃｈ  Ｒｅｐｏｒｔ  ｄａｔｅｄ  Ｊｕｎｅ  １３，  ２０１１
【発明の概要】
【課題を解決するための手段】
【０００９】
本発明の開示の様々な詳細は以下に要約されて、基本的理解を提供する。この要約は、本発明の開示の広範な概要ではなく、本開示の特定の要素を特定する、またはその範囲を詳しく説明することのどちらも意図されていない。寧ろ、本要約の主要目的は、以後で提示されるより詳細な説明の前に単純な形式で本発明の開示の特定の概念を提示することである。
【００１０】
本発明の開示の１観点に従った電子商取引を処理するシステムが提供される。前記システムは、販売者から１若しくはそれ以上の代替支払いブランドの選択を受信する工程を実行するようにプログラムされた１若しくはそれ以上のプロセッサを含む。前記代替支払いブランドの各々は異なる販売者申請手続きを含む。更に、前記プロセッサは、前記選択された代替支払いブランドに申請するために必要な販売者情報を前記販売者から受信する工程と、前記選択された代替支払いブランドの前記販売者申請手続きに従って、前記選択された代替支払いブランドの各々に前記販売者情報を使用して申請する工程を実行するようにプログラムされる。
【００１１】
本発明の開示の別の観点に従った電子商取引を処理する方法が提供される。１若しくはそれ以上の代替支払いブランドの選択は、販売者から受信される。前記代替支払いブランドの各々は、異なる販売者申請手続きを含む。前記販売者から前記選択された代替支払いブランドに申請するために必要な販売者情報もまた受信される。前記前記販売者情報はその後、前記選択された代替支払いブランドの前記販売者申請手続きに従って、前記選択された代替支払いブランドの各々に申請するために使用される。
【００１２】
本発明の開示の別の観点に従った電子商取引を処理するシステムが提供される。前記システムは、複数の異なる代替支払いブランドを含む、商取引を処理する単一インターフェースを販売者に提供する汎用販売者プラットフォーム（Ｕｎｉｖｅｒｓａｌ  Ｍｅｒｃｈａｎｔ  Ｐｌａｔｆｏｒｍ：ＵＭＰ）を含む。前記システムはさらに、販売者から１若しくはそれ以上の代替支払いブランドの選択を受信する工程を実行するようにプログラムされた１若しくはそれ以上のプロセッサを含む。前記代替支払いブランドの各々は、異なる販売者申請手続きを含む。前記プロセッサはさらに、前記販売者から前記選択された代替支払いブランドに申請するために必要な販売者情報を受信する工程と、前記選択された代替支払いブランドの前記販売者申請手続きに従って、前記選択された代替支払いブランドの各々に前記販売者情報を使用して申請する工程と、前記選択された代替支払いブランドを前記販売者の前記ＵＭＰに登録する工程と、前記選択された代替支払いブランドの引受基準が満たされた旨の通知を受信する工程と、前記選択された代替支払いブランドを前記販売者の前記ＵＭＰにより有効にする工程とを実行するようにプログラムされる。
【図面の簡単な説明】
【００１３】
【図１】図１は、本発明の開示の観点に従った、代替支払いブランドに申請、代替支払いブランドを登録、および利用するシステムのブロック図である。
【図２】図２は、本発明の開示の観点に従った、申請、登録、および利用手続きの１実施形態のシーケンス図である。
【図３】図３は、本発明の開示の観点に従った、申請、登録、および利用手続きの別の実施形態のシーケンス図である。
【図４】図４は、本発明の開示の観点に従った、代替支払いブランドに申請、代替支払いブランドを登録、および利用する方法のブロック図である。
【発明を実施するための形態】
【００１４】
図１を参照すると、代替支払いブランドに申請、当該代替支払いブランドを登録、および当該代替支払いブランドを利用するシステム１００のブロック図が提供されている。前記システム１００は適宜、通信ネットワークで相互接続された１若しくはそれ以上の消費者１０２と、１若しくはそれ以上の販売者１０４と、選択的に１若しくはそれ以上のアグリゲータ１０６と、１若しくはそれ以上の代替支払いブランド１０８と、さらに、汎用販売者プラットフォーム（Ｕｎｉｖｅｒｓａｌ  Ｍｅｒｃｈａｎｔ  Ｐｌａｔｆｏｒｍ：ＵＭＰ）と、汎用利用プラットフォーム（Ｕｎｉｖｅｒｓａｌ  Ｂｏａｒｄｉｎｇ  Ｐｌａｔｆｏｒｍ：ＵＢＰ）と、選択的にテストプラットフォーム（Ｔｅｓｔ  Ｐｌａｔｆｏｒｍ：ＴＰ）とを提供する第三者１１０とを含む。前記通信ネットワーク１１８は、通常インターネットであるが、他の通信ネットワークも考えられる。例えば、前記通信ネットワーク１１８は、１若しくはそれ以上のローカルエリアネットワーク、ワイヤレスネットワーク、および類似のものを含むことができる。更に、図１の前記第三者１１０は典型的には、前記ＵＭＰ１１２、前記ＵＢＰ１１４、および前記テストプラットフォーム１１６を提供するが、これらのプラットフォームは異なる関係者によって提供されてもよい。
【００１５】
前記消費者１０２は、例えば前記販売者１０４のｅコマースおよび／またはｍコマースなどのグラフィカル・ユーザー・インターフェースを介して前記通信ネットワーク１１８を通じて電子的に前記販売者１０４から製品および／またはサービスを購入する。前記消費者１０２は適切に、ウェブブラウザーを用いて前記グラフィカル・ユーザー・インターフェースに接続し、前記商品および／またはサービスを購入する。ただし、電子的に前記商品および／またはサービスを購入する他の手段も考えられることは、認識されるべきである。例えば、前記グラフィカル・ユーザー・インターフェースの形を取る独立型プログラムを選択的に前記通信ネットワーク１１８を介して前記消費者１０２に分配することができる。前記通信ネットワークを通じて前記製品および／またはサービスを購入するため、前記消費者１０２は支払い方法を前記販売者１０４に提出する。支払い方法は、例えばＰＩＮデビットカード、クレジットカードなどを含む。
【００１６】
前記消費者１０２の各自は、適宜前記通信ネットワーク１１８に接続されたデジタル処理装置（例えば、コンピュータ、スマートフォン、ＰＤＡ（電子情報末端）、および類似のもの）を保持する。更に、前記デジタル処理装置１２０の各々は適宜、通信装置１２２と、少なくとも１つのメモリ１２４と、ディスプレイ１２６と、ユーザ入力装置１２８と、プロセッサ１３０などを含む。前記通信装置１２２により、前記デジタル処理装置１２２が前記通信ネットワーク１１８に接続される他のコンポーネントと情報をやりとりすることが可能になる。前記メモリ１２４は、前記消費者１０２と関連する上記の機能を実行するための実行命令を含む。前記ディスプレイ１２６は、前記グラフィカル・ユーザー・インターフェースを（例えば、ウェブブラウザーを介して）表示し、消費者に前記デジタル処理装置１２０とのインタラクションを促す。前記ユーザ入力装置１２８により、前記消費者１０２が前記グラフィカル・ユーザー・インターフェースとインタラクションすることが可能になる。前記プロセッサ１３０は、前記メモリ１２４上の前記コンピュータ実行命令を実行する。
【００１７】
前記販売者１０４は、通常前記通信ネットワーク１１８を介して前記消費者１０２に前記グラフィカル・ユーザー・インターフェースを提供する。例えば、前記グラフィカル・ユーザー・インターフェースはｅコマースおよび／またはｍコマースのウェブサイトであることが考えられる。前記グラフィカル・ユーザー・インターフェースにより、前記消費者１０２が前記通信ネットワーク１１８を通じて支払い方法を提出することによって電子的に商品および／またはサービスを購入することができる。例えば、前記グラフィカル・ユーザー・インターフェースにより、消費者１０２が購入する商品および／またはサービスを選択し、提出すること、並びにその支払いのための支払い方法を前記販売者１０４に提出することが可能になる。
【００１８】
販売者が消費者から支払い方法を受け取ったとき、前記販売者は前記支払い方法を前記ＵＭＰ１１２に送信し、例えばｉＦｒａｍｅ（インラインフレーム）、前記ＵＭＰ１１２へのリダイレクトなどを介して前記消費者を前記ＵＭＰ１１２と通信状態にする。前記ＵＭＰ１１２は、前記消費者から前記支払い方法に関する支払い情報（例えば、カード番号および有効期限）を収集し、前記支払い方法を使用して商取引の決済を一部または全部行う。例えば、前記ＵＭＰ１１２は、前記支払い方法のための支払い情報を収集し、認証された支払を含めた最初の商取引を処理する。これは、「Ｕｎｉｖｅｒｓａｌ  Ｍｅｒｃｈａｎｔ  Ｐｌａｔｆｏｒｍ  ｆｏｒ  Ｐａｙｍｅｎｔ  Ａｕｔｈｅｎｔｉｃａｔｉｏｎ」と題するＫｅｒｅｓｍａｎ，ＩＩＩらの米国特許第７，０５１，００２号に詳細に説明されており、この参照によりその全体が本明細書に組み込まれるものである。別の実施例として、前記ＵＭＰ１１２は、前記支払い方法に関する支払い情報を収集し、代替支払いブランドを含めた商取引を処理する。これは、「Ａｌｔｅｒｎａｔｉｖｅ  Ｐａｙｍｅｎｔ  Ｉｍｐｌｅｍｅｎｔａｔｉｏｎ  ｆｏｒ  Ｅｌｅｃｔｒｏｎｉｃ  Ｒｅｔａｉｌｅｒｓ」と題するＢａｌａｓｕｂｒａｍａｎｉａｎらの米国特許出願公開第２００９／０３１３１４７号に詳細に説明されており、この参照によりその全体が本明細書に組み込まれるものである。前記ＵＭＰ１１２は商取引を完全に決済するために利用することができるが、通常商取引を部分的に決済するのに用いられる。この点において、前記販売者は適宜、認証およびクレジットカード取引に特有の資本の捕獲を実行して、（例えば、認証または支払い方法の選択を前記ＵＭＰ１１２へ）オフロード（ｏｆｆｌｏａｄ）する。
【００１９】
前記ＵＭＰ１１２を使用するため、前記販売者１０４は適宜、前記ＵＭＰ１１２を提供する前記第三者１１０に登録する。このステップは、前記販売者１０４が販売者情報（例えば、財務情報、実際の住所、販売された商品またはサービスの種類、インターネットアドレス、電子メールアドレスなど）を前記第三者１１０に提供することを含むことができる。一般に、前記販売者情報は、前記第三者１１０によって提供されるグラフィカル・ユーザー・インターフェース（例えば、ウェブインターフェース）を介して前記通信ネットワーク１１８を通じて提供される。ただし、前記販売者情報を（例えば、電話を介して）提供する他の手段も考えられる。その上、前記販売者情報は、選択的に前記グラフィカル・ユーザー・インターフェースおよび／または前記通信ネットワーク１１８を介して、適宜変更可能である。特定の実施形態において、登録はさらに、前記第三者１１０の契約に署名および／または履行することも含めることができる。
【００２０】
更に、前記ＵＭＰ１１２を使用するため、前記販売者１０４は適宜、当該販売者のグラフィカル・ユーザー・インターフェースおよび／または当該グラフィカル・ユーザー・インターフェースを支援するバックエンドシステムを増強する。例えば、販売者は、前記グラフィカル・ユーザー・インターフェースを前記第三者１１０にリンクするホスト型ｉＦｒａｍｅを追加することもできる。これにより、特に支払い情報の提出の間、前記ＵＭＰ１１２との統合が容易となり有利である。特定の実施形態において、前記販売者１０４は、（以降で説明される）前記テストプラットフォーム１１６を用いて、前記ＵＭＰ１１２が当該販売者のグラフィカル・ユーザー・インターフェースおよび／またはバックエンドシステムと統合されているかをテストする。
【００２１】
更に、前記ＵＭＰ１１２を使用するため、前記販売者１０４は、前記第三者１１０の前記ＵＭＰ１１２によって支援される１若しくはそれ以上の支払いブランド（例えば、代替支払いブランド）を登録および／または利用する（または、有効にする）。登録および／または利用には、前記支払いブランドに関する販売者の情報を前記第３者に提供することが必要となり、当該情報は前記支払いブランドの支払い方法を使用して商取引を決済するために必要となるものである。前記情報は、例えば支払いブランドの販売者アカウント識別子を含んでもよい。前記販売者１０４は、前記支払いブランドに申請している間、前記情報を適宜取得する。例えば、代替支払いブランドに申請している間、前記代替支払いブランドを含む商取引を決済するために使用される販売者の情報が適宜販売者に提供される。通常、前記販売者の情報は、前記第三者１１０によって提供されたグラフィカル・ユーザー・インターフェース（例えば、ウェブインターフェース）を介して前記通信ネットワーク１１８を介して提供される。ただし、（例えば、電話を介して）前記販売者情報を提供する他の手段も考えられる。前記支払いブランドの登録および／または利用は、前記ＵＭＰ１１２に登録の間および／または後に実行することができる。
【００２２】
前記通信ネットワーク１１８に接続された１若しくはそれ以上のサーバー１３２は適宜、前記販売者１０４の各々を統合する。前記サーバー１３２の各々は、１若しくはそれ以上の通信装置１３４、少なくとも１つのメモリ１３６、プロセッサ１３８、および類似のものを含む。前記通信装置１３４により、前記サーバー１３２が前記通信ネットワーク１１８に接続された他のコンポーネントとインタラクションすることができる。前記メモリ１３６は、前記販売者１０４に関連する上記の機能を実行するためのコンピュータ実行命令を含む。前記プロセッサ１３８は、前記メモリ１３６にある前記コンピュータ実行命令を実行する。
【００２３】
アグリゲータ（または、ゲートウェイ／プロセッサ）１０６は、１若しくはそれ以上の前記販売者１０４の代理人の機能を果たす。この点について、前記アグリゲータは、選択的に前記ＵＭＰ１１２の助けを借りて前記販売者への支払いを処理する。アグリゲータの例としては、ＣｙｂｅｒＳｏｕｒｃｅおよびＦｉｒｓｔ  Ｄａｔａがある。アグリゲータが前記ＵＭＰ１１２を用いるとき、上述のように前記販売者１０４と接続する前記ＵＭＰ１１２を使用するため当該アグリゲータは適宜増強される。特定の実施形態において、前記アグリゲータ１０６はさらに、当該アグリゲータの各販売者に前記ＵＢＰ１１４により１若しくはそれ以上の前記代替支払いブランド１０８に登録する能力を提供する。このような実施形態において、前記アグリゲータ１０６は、対応する販売者にデータ入力ポイントを提供し、そこから１若しくはそれ以上の前記代替支払いブランド１０８を選択し、且つ選択的に販売者情報（例えば、販売者の正式名称、販売者のＩＤ、販売者の銀行、連絡担当者、および類似のもの）を入力する。典型的には前記データ入力ポイントは前記通信ネットワーク１１８を介して提供されるウェブサイトであるが、他のデータ入力ポイント（例えば、電話を基にしたデータ入力ポイント）も考えられる。前記選択および選択的に前記販売者情報が収集されると直ぐに、前記選択および販売者情報は前記ＵＢＰ１１４に転送されて、下記のように処理される。
【００２４】
１若しくはそれ以上のサーバー１４０は適宜、前記アグリゲータ１０６の各々を統合する。前記サーバー１４０は、１若しくはそれ以上の通信装置１４２、少なくとも１つのメモリ１４４、プロセッサ１４６、および類似のものを含む。前記通信装置１４２により、前記サーバー１４０が前記通信ネットワーク１１８に接続される他のコンポーネントとインタラクションすることが可能となる。前記メモリ１４４は、前記アグリゲータ１０６に関連する上記の機能を実行するためのコンピュータ実行命令を含む。前記プロセッサ１４６は、前記メモリ１４４にある前記コンピュータ実行命令を実行する。
【００２５】
前記代替支払いブランド１０８は、購入および支払い取引を管理しかつ処理する。前記代替支払いブランド１０８は、適宜前記ＵＭＰ１１２を介して、１若しくはそれ以上の代替支払い方法を前記販売者１０４に提供する。代替支払いブランド（または、オンライン支払サービス）は、これに限定されるものではないが、グーグル（ＧＯＯＧＬＥ）、ペイパル（ＰＡＹＰＡＬ）、ビル・ミー・レイター（ＢＩＬＬ  ＭＥ  ＬＡＴＥＲ）、マイチェック（ＭＹＥＣＨＥＣＫ）、アマゾン（ＡＭＡＺＯＮ）、セキュア・ボールト・ペイメンツ（ＳＥＣＵＲＥ  ＶＡＵＬＴ  ＰＡＹＭＥＮＴＳ）、およびテレチェック（ＴＥＬＥＣＨＥＣＫ）などを含む。代替支払い方法は、これに限定されるものではないが、グーグル・チェックアウト（ＧＯＯＧＬＥ  ＣＨＥＣＫＯＵＴ）、ペイパル・エクスプレス・チェックアウト（ＰＡＹＰＡＬ  ＥＸＰＲＥＳＳ  ＣＨＥＣＫＯＵＴ）、ビル・ミー・レイター・エクスプレス（ＢＩＬＬ  ＭＥ  ＬＡＴＥＲ  ＥＸＰＲＥＳＳ）、ビル・ミー・レイター・ビジネス（ＢＩＬＬ  ＭＥ  ＬＡＴＥＲ  ＢＵＳＩＮＥＳＳ）、チェック・アウト・ウィズ・アマゾン（ＣＨＥＣＫ  ＯＵＴ  ＷＩＴＨ  ＡＭＡＺＯＮ）、セキュア・ボールト・ペイメンツ（ＳＥＣＵＲＥ  ＶＡＵＬＴ  ＰＡＹＭＥＮＴＳ）を含む。前記用語「代替支払いブランド」および「代替支払い方法」は、区別しないで使えることは理解されるべきである。前記代替支払いブランド１０８は通常、それ自体の固有の代替支払いの履行を含み、これは（これに限定されるものではないが）処理の流れ、応答コード、通信プロトコル、メッセージフォーマットなどを含む。加えて、前記代替支払いブランド１０８の各々は通常、販売者に対するそれ自体の申請手続きも含む。例えば、前記代替支払いブランド１０８の一方は第１の申請手続きを含み、前記代替支払いブランド１０８の他方は第２の異なる申請手続きを含む。
【００２６】
１若しくはそれ以上のサーバー１４８は適宜、前記代替支払いブランド１０８の各々を統合する。前記サーバー１４８の各々は、１若しくはそれ以上の通信装置１５０、少なくとも１つのメモリ１５２、プロセッサ１５４、および類似のものを含む。前記通信装置１５０により、前記サーバー１４８は前記通信ネットワーク１１８に接続する他のコンポーネントとインタラクションすることができる。前記メモリ１５２は、前記代替支払いブランド１０８に関連する上記の機能を実行するためのコンピュータ実行命令を含む。前記プロセッサ１５４は、前記メモリ１５２にある前記コンピュータ実行命令を実行する。
【００２７】
前記第三者１１０は一般に、前記ＵＭＰ１１２により前記消費者１０２と前記販売者１０４との間の商取引の決済を促進する。前記ＵＭＰ１１２は、集中販売者処理システムとして、単一プラットフォームを使用して商取引の全体をまたは一部を処理する。この点において、前記販売者１０４が様々な異なる支払い方法を一回の実施で処理することが可能となる。更に、商取引を処理するために構築された支払処理の基盤設備の使用が可能になる。一般的に前記ＵＭＰ１１２は、従来型のカードを基にした商取引の認証に用いられ、これは、「Ｕｎｉｖｅｒｓａｌ  Ｍｅｒｃｈａｎｔ  Ｐｌａｔｆｏｒｍ  ｆｏｒ  Ｐａｙｍｅｎｔ  Ａｕｔｈｅｎｔｉｃａｔｉｏｎ」と題するＫｅｒｅｓｍａｎ，ＩＩＩらの米国特許第７，０５１，００２号で説明されており、および／または代替支払いブランドの商取引の認証に用いられ、これは、「Ａｌｔｅｒｎａｔｉｖｅ  Ｐａｙｍｅｎｔ  Ｉｍｐｌｅｍｅｎｔａｔｉｏｎ  ｆｏｒ  Ｅｌｅｃｔｒｏｎｉｃ  Ｒｅｔａｉｌｅｒｓ」と題するＢａｌａｓｕｂｒａｍａｎｉａｎらの米国特許出願公開第２００９／０３１３１４７号で説明されている。前記ＵＭＰ１１２は適宜、前記代替支払いブランド１０８のそれぞれを支援する。
【００２８】
前記第三者１１０はさらに、前記ＵＢＰ１１４を介して前記代替支払いブランド１０８の申請手続きを促進する。この点において、前記ＵＢＰ１１４により、販売者は１若しくはそれ以上の前記代替支払いブランド１０８に容易に申請することが可能となる。一般的に、前記ＵＢＰ１１４のデータ入力ポイントは前記販売者からの１若しくはそれ以上の前記代替支払いブランド１０８と、前記選択された代替支払いブランドに申請するのに必要なすべての販売者情報とを収集する。販売者情報は、例えば販売者の正式名称、販売者のＩＤ、販売者の銀行、連絡担当者などを含む。前記必要な販売者情報は適宜、前記代替支払いブランド１０８とメモリまたはデータベース（例えば、データベース１５６）に保存された必須フィールドとの間のマッピング（対応付け）を介して決定される。例えば、マッピングにより、代替支払いブランドが申請の間第１のフィールドと第２のフィールドとを要求することを特定することができる。一般的には、前記データ入力ポイントは、例えば前記通信ネットワーク１１８を経由して前記販売者に提供されるグラフィカル・ユーザー・インターフェースである。ただし、その他のデータ入力ポイント（例えば、電話を基にしたデータ入力ポイント）も考えられる。
【００２９】
前記データ入力ポイントが通常前記選択および前記販売者情報を収集するのに用いられるが、特定の実施形態において、前記販売者のアグリゲータは、前記選択と、選択的に少なくとも幾つかの前記必要な販売者情報とを収集する。このような実施形態において、前記ＵＢＰは、前記アグリゲータから１若しくはそれ以上の前記代替支払いブランド１０８の選択と、選択的に前記アグリゲータから販売者情報とを受信する。前記アグリゲータから前記選択を受け取った後、前記ＵＢＰ１１４はさらに、前記受け取った販売者情報が前記選択された代替支払いブランドに登録するのに十分であるかを査定する。十分でない場合、前記ＵＢＰ１１４は、前記アグリゲータとの連携を通して前記販売者から必要な販売者情報をさらに要求する。例えば、前記ＵＢＰ１１４は、前記アグリゲータを介して前記販売者を前記ＵＢＰ１１４のデータ入力ポイントにリダイレクトし、これによりさらに販売者情報を収集する。
【００３０】
前記ＵＢＰ１１４は適宜、メモリまたはデータベース（例えば、データベース１５６）に前記選択と、前記必要な販売者情報とを保持する。前記選択に基づいて、前記ＵＢＰ１１４は、前記必要な販売者情報を使用して前記選択された代替支払いブランドの各々に申請する。前記代替支払いブランド１０８の各々はそれ自体の申請手続きを含むため、前記ＵＢＰ１１４は適宜、前記選択された代替支払いブランドの各々に申請する適切な論理を含む。特定の実施形態において、前記ＵＢＰ１１４は、前記代替支払いブランドの各々に対するサブモジュールを含み、当該サブモジュールは対応する代替支払いブランドための申請論理を実行し、統一インターフェースを当該申請処理に提供する。このような実施形態において、前記適切なサブモジュールは、前記選択された代替支払いブランドの各々に対して選択される。従って、前記必要な販売者情報は、前記統一インターフェースを使用して前記選択されたサブモジュールに提供される。
【００３１】
追加情報および／または販売者入力（例えば、受諾および／または受領確認）が代替支払いブランドの申請手続きの間に要求される場合、前記データ入力ポイントが適宜用いられる。すなわち、前記データ入力ポイントは、販売者入力および／または追加情報を必要するときに用いられる。例えば、販売者が代替支払いブランドの取引条件を受け入れる必要がある場合、前記データ入力ポイントを用いて前記販売者に前記取引条件を提示し、および／または前記販売者を前記代替支払いブランドにリダイレクトすることができ、これにより前記代替支払いブランドは前記販売者に前記取引条件を提示することができる。特定の実施形態において、前記データ入力ポイントによって収集された追加情報は、メモリ（例えば、前記データベース１５６）に保持される。
【００３２】
更に、前記第三者１１０は、対応する引受基準に基づく前記代替支払いブランドの申請の正式受諾の上で前記ＵＢＰ１１４を介して前記ＵＭＰ１１２および／または前記テストプラットフォーム１１６に前記選択された代替支払いブランドの登録および利用を促進する。特定の実施形態において、前記ＵＢＰ１１４は、前記通信ネットワーク１１８を介して例えば前記選択された受諾の代替支払いブランドから通知を受信する。引受基準は適宜、前記販売者による申請の受諾のための基準を特定する規則である。例えば、前記引受基準は、前記販売者がサービス利用規約を受諾し、且つ米国の住所を有する必要があると特定するかもしれない。支払いブランドの登録は適宜、前記支払いブランドの支払い方法の選択肢を使用して、商取引を決済するのに必要な前記支払いブランドに関する販売者情報を前記ＵＭＰ１１２に提供することを必要とする。販売者情報は、例えば支払いブランドの販売者口座名を含むかもしれない。前記販売者情報はメモリ（例えば、前記データベース１５６）に保存することができることも考えられる。前記販売者情報は適宜、上記のように前記支払いブランドの申請の間に得られる。
【００３３】
特定の実施形態において、前記第三者１１０は、検証のため前記販売者１０４に前記テストプラットフォーム１１６を提供し、一方では前記販売者は当該販売者のグラフィカル・ユーザー・インターフェースおよび／または前記グラフィカル・ユーザー・インターフェースを支援するバックエンドシステムと前記ＵＭＰ１１２を統合している。前記テストプラットフォーム１１６は適宜、実際に商取引を実行して決済せず、前記ＵＭＰ１１２の動作を刺激する。
【００３４】
前記通信ネットワーク１１８に接続された１若しくはそれ以上のサーバー１５８は適宜、前記第三者１１０を統合する。前記サーバー１５８の各々は、１若しくはそれ以上の通信装置１６０、少なくとも１つのメモリ１６２、プロセッサ１６４、および類似のものを含む。前記通信装置１６０により、前記サーバー１５８は前記通信ネットワーク１１８に接続された他のコンポーネントとインタラクションすることができる。前記メモリ１６２は一般に、前記第三者１１０に関連する上記の機能を実行するためのコンピュータ実行命令を含む。前記プロセッサ１６４は、前記メモリ１６２にある前記コンピュータ実行命令を実行する。更に、前記サーバー１５８は、前記ＵＭＰ１１２と、前記ＵＢＰ１１４と、前記テストプラットフォーム１１６とを含む。適宜、前記ＵＭＰ１１２、前記ＵＢＰ１１４、および前記テストプラットフォーム１１６は、コンピューター可読媒体に保存されたコンピュータ実行命令によって統合され、前記プロセッサ１６４が前記コンピュータ実行命令を実行する。幾つかの実施形態において、前記コンピュータ可読媒体は前記メモリ１６２であってもよい。
【００３５】
図２を参照して、１実施形態に従った前記ＵＢＰ１１４の機能を図示するシーケンス図が提供されている。前記シーケンス図は、前記販売者１０４のうちの１つの販売者１６６と、前記ＵＢＰ１１４のデータ入力ポイントとして働くグラフィカル・ユーザー・インターフェース１６８と、前記ＵＢＰ１１４と、前記ＵＭＰ１１２と、前記テストプラットフォーム１１６と、前記代替支払いブランド１０８のうちの１つの代替支払いブランド１７０とを含む。ただし、前記テストプラットフォーム１１６は前記ＵＢＰ１１４の機能性に必ずしも必要でないことは理解されるべきである。前記シーケンス図は、前記販売者１６６が単一の代替支払いブランド（例えば、前記代替支払いブランド１７０）のみを選択することを前提としているが、複数の代替支払いブランドが選択できることは理解されるべきである。アクション１４〜２４は、前記選択された代替支払いブランドの各々に対して単純に繰り返されるものである。
【００３６】
最初にアクション１において、前記販売者１６６は、例えばウェブブラウザにより前記ＵＢＰ１１４によって提供された前記グラフィカル・ユーザー・インターフェース１６８にアクセスする。そこで、前記販売者１６６は、前記グラフィカル・ユーザー・インターフェース１６８を介して前記販売者１６６に提示された代替支払いブランドの一覧表から前記代替支払いブランド１７０を選択する。更に、特定の実施形態において、前記販売者１６６は、前記代替支払いブランド１７０の申請を提出するために必要な全ての販売者情報（例えば、名称、住所など）を入力する。前記販売者１６６が前記代替支払いブランドの選択および前記必要な販売者情報の入力を終えると、アクション２において前記販売者１６６は販売者利用要請項目の前記選択および前記必要な販売者情報を前記グラフィカル・ユーザー・インターフェース１６８を介して前記ＵＢＰ１１４に提出する。
【００３７】
前記選択および前記必要な販売者情報を受け入れると直ぐに、前記ＵＢＰ１１４は、アクション３および４のそれぞれにおいて、前記販売者１６６を前記ＵＭＰ１１２および選択的に前記テストプラットフォーム１１６に登録（または利用）する。更に、前記ＵＢＰ１１４は取引ＩＤを生成し、且つ前記受信された選択、前記取引ＩＤ、および前記受信された販売者情報をメモリまたはデータベース（例えば、前記データベース１５６）の記録に保存する。
【００３８】
アクション５において、前記ＵＢＰ１１４は前記グラフィカル・ユーザー・インターフェース１６８のページにＵＲＬ（Ｕｎｉｖｅｒｓａｌ  Ｒｅｓｏｕｒｃｅ  Ｌｏｃａｔｉｏｎ）を、および例えば販売者利用応答項目に取引ＩＤを提供する。アクション６において、前記グラフィカル・ユーザー・インターフェース１６８が前記ＵＲＬおよび前記取引ＩＤを受信すると、前記販売者１６６に前記取引ＩＤを提供し、前記販売者１６６を前記ＵＲＬにリダイレクトする。アクション７において、前記リダイレクトの間、前記販売者１６６は前記取引ＩＤを前記グラフィカル・ユーザー・インターフェース１６８に提供し、そして、アクション８において、前記グラフィカル・ユーザー・インターフェース１６８は前記取引ＩＤを前記ＵＢＰ１１４に提出する。前記取引ＩＤは、前記販売者１６６を識別する働きをする。
【００３９】
アクション９において、前記ＵＢＰ１１４は、前記取引ＩＤを受信すると直ぐに、前記選択された代替支払いブランド１７０に申請するのに必要な全ての前記販売者情報を有しいるかを決定する。このような決定は、上記で特定した前記メモリまたはデータベースへの参照により実行される。さらに販売者情報が必要な場合、さらに必要な販売者情報を要求するように通常アクション１０〜１３が実行される。このさらなる販売者情報は次に、アクション１４において、最初に受信された前記販売者情報に関して終了したとき、このさらなる販売者情報は次に、前記メモリまたはデータベースに保存される。
【００４０】
前記代替支払いブランド１７０に登録する全ての前記必要な販売者情報が受信された時点で、アクション１５において、前記ＵＢＰ１１４は通常、利用（または申請）要求を前記代替支払いブランド１７０に自動的に提出する。ただし、前記利用要求が手動で提出されることも考えられる。このような実施形態において、前記ＵＢＰ１１４は、前記取引にマニュアル処理と印をつける。前記利用要求は適宜、前記代替支払いブランド１７０に固有のものである。アクション１６において、前記利用要求に応答して、前記代替支払いブランド１７０は、前記利用要求が処理のために成功裏に提出されたかについての受領確認を戻す。例えば、前記応答は、全ての前記必要な販売者情報が提供されたかを示すことができる。
【００４１】
アクション１７および１８において、前記利用要求を提出した後、前記グラフィカル・ユーザー・インターフェース１６８を介して、前記ＵＢＰ１１４は、前記販売者１６６にその結果を通知する。例えば、前記申請手続きが成功裏に開始されたこと、または前記申請手続きが失敗に終わったことを、前記ＵＢＰ１１４は前記販売者１６６に通知する。アクション１９において、その後暫くしてから、前記代替支払いブランド１７０と前記販売者１６６は通信をして、前記代替支払いブランド１７０の引受基準によって前記申請手続きが完了する。典型的には、これは、前記代替支払いブランド１７０によって開始され、前記代替支払いブランド１７０の取引条件に同意する前記販売者１６６を巻き込む。この時間の間、前記ＵＢＰ１１４は使われていない状態である。
【００４２】
アクション２０において、前記代替支払いブランド１７０の取引条件が満たされた時点で、前記ＵＢＰ１１４にそれが通知される。この通知は通常、前記販売者１６６が前記代替支払いブランド１７０を通して取引を処理するために必要な認証情報を含む。アクション２１および２２において、前記通知を受信すると直ぐに、前記ＵＢＰ１１４は前記ＵＭＰ１１２および／または前記テストプラットフォーム１１６を更新して、前記販売者１６６が前記代替支払いブランド１７０を使用して開始するのを可能にする。この点において、前記ＵＢＰ１１４は、前記ＵＭＰ１１２、および／または前記テストプラットフォーム１１６に認証情報を提供する。更に、アクション２３〜２５において、前記ＵＢＰ１１４は前記販売者１６６に、前記申請手続きが完了したことおよび前記代替支払いブランド１７０が使用可能であることを通知する。
【００４３】
図３を参照して、別の実施形態に従った前記ＵＢＰ１１４の機能を図示するシーケンス図が提供されている。前記シーケンス図は、前記販売者１６６と、アグリゲータ１７２と、前記ＵＢＰ１１４のデータ入力ポイントとして働く前記グラフィカル・ユーザー・インターフェース１６８と、前記ＵＢＰ１１４と、前記ＵＭＰ１１２と、前記テストプラットフォーム１１６と、前記代替支払いブランド１７０とを含む。ただし、前記テストプラットフォーム１１６が前記ＵＢＰ１１４の機能性に必ずしも必要でないことは理解されるべきである。前記シーケンス図は、前記販売者１６６が単一の代替支払いブランド（すなわち、前記代替支払いブランド１７０）のみを選択することを前提としているが、複数の代替支払いブランドも選択可能であることは理解されたい。
【００４４】
最初にアクション１において、前記販売者１６６は、例えばグラフィカル・ユーザー・インターフェースを介して前記アグリゲータ１７２にアクセスする。前記販売者１６６は、前記アグリゲータ１７２によって当該販売者１６６に提示される代替支払いブランドの一覧表から前記代替支払いブランド１７０を選択する。更に特定の実施形態において、前記販売者１６６は、前記代替支払いブランド１７０に申請を提出するために必要な販売者情報（例えば、名称、住所など）を入力する。アクション２において、前記販売者１６６が前記代替支払いブランドの選択を終了して前記必要な販売者情報を入力すると、前記アグリゲータは例えば販売者利用要求項目を介して前記選択および前記必要な販売者情報を前記ＵＢＰ１１４に伝える。
【００４５】
前記選択および前記必要な販売者情報を受信すると直ぐに、前記ＵＢＰ１１４は、アクション３および４において、それぞれ前記販売者１６６を前記ＵＭＰ１１２および選択的に前記テストプラットフォーム１１６に登録（または利用させるように）し、これにより前記販売者１６６は前記ＵＭＰ１１２を前記消費者１０２とともに用いることが可能となる。更に、前記ＵＢＰ１１４は取引ＩＤを生成し、前記受信された選択、前記取引ＩＤ、および前記受信された販売者情報をメモリまたはデータベース（例えば、前記データベース１５６）の記録に保存する。
【００４６】
アクション５において、前記ＵＢＰ１１４は前記アグリゲータ１７２に、例えば販売者利用要求で前記グラフィカル・ユーザー・インターフェース１６８へのＵＲＬ（Ｕｎｉｖｅｒｓａｌ  Ｒｅｓｏｕｒｃｅ  Ｌｏｃａｔｉｏｎ）および前記取引ＩＤを提供する。アクション６において、前記アグリゲータ１６８が前記ＵＲＬおよび前記取引ＩＤを受信すると、当該アグリゲータ１６８は前記販売者１６６に前記取引ＩＤを提供し、前記販売者１６６に（選択的にリダイレクトを介して）前記ＵＲＬにアクセスするように促す。アクション７において、前記販売者が前記ＵＲＬにアクセスすると、前記販売者１６６は前記取引ＩＤを前記グラフィカル・ユーザー・インターフェース１６８に与え、そして、アクション８において、前記グラフィカル・ユーザー・インターフェース１６８は前記取引ＩＤを前記ＵＢＰ１１４に提供する。前記取引ＩＤは、前記販売者を特定する働きをする。その後、アクション９〜２２が、図２に関連して上述されたように進行する。更に、アクション２３〜２５において、前記ＵＢＰ１１４は前記アグリゲータ１７２に、前記申請手続きが完了し、前記代替支払いブランド１７０の使用が可能であることを通知することができる。
【００４７】
図４を参照して、代替支払いブランドに申請し、当該代替支払いブランドを登録し、および利用する例示的な方法４００のブロック図が提供される。前記方法４００は適宜、前記ＵＢＰ１１４により実行される。最初に、１若しくはそれ以上の代替支払いブランドの選択が販売者から受信される４０２。前記代替支払いブランドの各々は、異なる販売者申請手続きを含む。前記選択された代替支払いブランドに申請するのに必要な販売者情報はまた、販売者から受信される４０４。前記販売者情報はその後、前記選択された代替支払いブランドの申請手続きに従って前記選択された代替支払いブランドの各々に申請する４０６のに使用される。特定の実施形態において、前記方法４００はさらに、前記販売者の前記ＵＭＰ１１２に前記販売者を登録する工程４０８、前記選択された代替支払いブランドの引受基準が承認されたとの通知を受信する工程４１０、および前記販売者の前記ＵＭＰ１１２で前記選択された代替支払いブランドを有効にする工程４１２のうちの少なくとも１つを含む。
【００４８】
適宜、本明細書に記載の方法およびシステムは、コンピュータ（若しくはデジタルプロセッサ（例えば、マイクロプロセッサ、マイクロコントローラ、グラフィック処理装置（Ｇｒａｐｈｉｃ  Ｐｒｏｃｅｓｓｉｎｇ  Ｕｎｉｔ：ＧＰＵ）など）および記憶装置を含むその他のデジタル処理装置）によって統合される。他の実施形態において、前記システムおよび方法は、デジタルプロセッサを含み、且つデジタルデータ記憶装置を含むまたは当該デジタルデータ記憶装置にアクセスを有するサーバーによって統合されてもよく、このようなサーバーは適宜、インターネット若しくはローカルエリアネットワークを介して、またはデジタルプロセッサ、デジタルデータ記憶装置などを含む電子情報末端機器（Ｐｅｒｓｏｎａｌ  Ｄｉｇｉｔａｌ  Ａｓｓｉｓｔａｎｔ：ＰＤＡ）によりアクセスされる。前記コンピュータまたはその他のデジタル処理装置は適宜、ユーザ入力を受信するための１若しくはそれ以上のユーザ入力装置（例えば、キーボードなど）を含むまたは動作可能に接続され、更に１若しくはそれ以上のディスプレイ装置を含む（若しくは動作可能に接続される）。他の実施形態において、前記方法およびシステムを制御するための入力は、前記コンピュータ上（若しくはネットワーク接続から）などの前記方法およびシステムを以前実行していたまたは同時に実行している別のプログラムから受信される。同様に他の実施形態において、前記出力は、前記コンピュータ上の前記方法およびシステムに続いて実行されるまたは同時に実行される別のプログラムの入力として働くこともあり、またはネットワーク接続を介して送信されるようにすることもできる。
【００４９】
幾つかの実施形態において、本出願の上記の例示的な方法や同方法を用いるシステムなどは、前記例示的な方法および／またはシステムを実行するための実行命令を保存する記憶媒体によって（例えば、デジタルプロセッサによって）統合される。前記記憶媒体は、例えば以下のものを含むことができる：磁気ディスクまたはその他の磁気記憶媒体；光ディスクまたはその他の光記憶媒体；ランダムアクセスメモリ（Ｒａｎｄｏｍ  Ａｃｃｅｓｓ  Ｍｅｍｏｒｙ：ＲＡＭ）、読み取り専用メモリ（Ｒｅａｄ−Ｏｎｌｙ  Ｍｅｍｏｒｙ：ＲＯＭ）、またはその他の電子記憶装置若しくはチップ、または動作可能に相互接続されたチップセット；前記保存された命令がインターネットまたはローカルエリアネットワークを介して読み出せるインターネットサーバー；などである。
【００５０】
更に、本明細書に記載の特定の例示的な実施形態に関する特定の構造的および／または機能的特徴は、定義された要素および／またはコンポーネントに組み込まれるものとして説明されていることは認識されるべきである。しかしながら、これらの特徴はさもなければ、同一または同様の利益に対して、必要に応じて他の要素および／またはコンポーネントに組み込まれるようにすることができることも考えられる。また、前記例示的な実施形態の異なる態様は、所望の用途に適切な他の代替実施形態を達成するのに適切なように選択的に用いることが可能であり、これにより前記他の代替実施形態は、本明細書に組み込まれる態様の各利益を享受するものであることは認識されるべきである。
【００５１】
また、本明細書に記載の特定の要素またはコンポーネントは、ハードウェア、ソフトウェア、ファームウェア、またはそれの組み合わせを介して、適宜実行されるそれらの機能性を有することができることは認識されるべきである。加えて、本明細書に記載の一緒に組み込まれる特定の要素は、適切な環境において独立した要素であり、或いは分離されたもであって良いことは認識されるべきである。同様に、１つの特定の要素によって実行されるように記載される複数の特定の機能は、個々の機能を実行するように独立して動作する複数の個別要素によって実行されるようにすることも可能であり、或いは特定の個々の機能は分割されて、一致した行動を取る複数の個別要素によって実行されるようにすることも可能である。或いは、本明細書の他に記載されたおよび／または示された互いにはっきりと分かれている幾つかの要素またはコンポーネントは、必要に応じて物理的にまたは機能的に組み合わされるようにすることもできる。
【００５２】
更に、本明細で使用されるメモリは、１若しくはそれ以上の非過渡的コンピュータ可読媒体、磁気ディスクまたはその他の磁気記憶媒体；光ディスクまたはその他の光記憶媒体、ランダムアクセスメモリ（ＲＡＭ）、読み取り専用メモリ（ＲＯＭ）、その他の電子記憶装置若しくはチップまたは動作可能に相互接続されたチップセット、或いは前記保存された命令がインターネットまたはローカルエリアネットワークを介して読み出すことが可能なインターネットサーバーなどを含む。更に、本明細書で使用されるプロセッサは、１若しくはそれ以上のマイクロプロセッサ、マイクロコントローラ、グラフィック処理装置（ＧＰＵ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ：ＡＳＩＣ）フィールド・プログラマブル・ゲート・アレイ（Ｆｉｅｌｄ−Ｐｒｏｇｒａｍｍａｂｌｅ  Ｇａｔｅ  Ａｒｒａｙ：ＦＰＧＡ）、および類似のものを含む。通信ネットワークは、１若しくはそれ以上のインターネット、ローカルエリアネットワーク、広域ネットワーク、無線ネットワーク、有線ネットワーク、セルラーネットワーク、データバス（例えば、ＵＳＢおよびＩ２Ｃなど）などを含む。ユーザ入力装置は、１若しくはそれ以上のマウス、キーボード、タッチスクリーンディスプレイ、１若しくはそれ以上のボタン、１若しくはそれ以上のスイッチ、１若しくはそれ以上のトグルなどを含む。データベースは、少なくとも１つのメモリを含む。ディスプレイは、１若しくはそれ以上のＬＣＤディスプレイ、ＬＥＤディスプレ、プラズマディスプレイ、投写型ディスプレイ、タッチスクリーンディスプレイ、および類似のものを含む。
【００５３】
要するに、本明細書は、好ましい実施形態を参照しながら説明をされてきた。明らかに、修正および変更は、本明細書を読み理解した上で読者は気が付くであろう。本発明は、添付の特許請求の範囲または均等物に逸脱しない範囲において全てのそのような修正および変更を含むと解釈されることを目的とする。すなわち、様々な上記のおよび他の特徴、機能、またはそれらの代替手段は、望ましくは多くの他の異なるシステムまたはアプリケーションに組み込まれるようにすることが可能であり、そしてまた、本明細書での様々な予測できない若しくは予期しない代替手段、修正、変更、または改善は、後になってから当業者によって実行されるかもしれず、それらは同様に添付の請求項によって包含するように意図されるものであることは認識されるべきある。
【図１】
0006043464.tif 000002
【図２】
0006043464.tif 000003
【図３】
0006043464.tif 000004
【図４】
0006043464.tif 000005